(57)【要約】【課題】コネクタハウジングとカバーのロック間のクリアランスを無くすことができ、カバーの電線固定部と電線間の密着度を高めて電線固定部からの電線抜けを確実に防止することができるカバー付コネクタを提供する。【解決手段】コネクタハウジング１１と、コネクタハウジング１１から引き出された電線１３を案内しつつ外部に導出させるカバー３０を備えたカバー付コネクタ１０において、コネクタハウジング１１に被ロック部１１ｂを形成し、カバー３０のカバー本体３１の両側部３１ａ，３１ａの一方にヒンジ部を介して開き止めロック板３３を一体形成し、この開き止めロック板３３の一対の係止部３３ｂ，３３ｂをカバー本体３１の一対の係合部３１ｃ，３１ｃに係止した際に、該一対の係止部３３ｂ，３３ｂの一方の係止部３３ｂでコネクタハウジング１１の被ロック部１１ｂをカバー本体３１のロック部３１ｂに押圧付勢するように構成した。【選択図】図５
2010055863.tif 000002
【特許請求の範囲】
【請求項１】
電線の端部に接続された端子を収容するコネクタハウジングと、このコネクタハウジングに取り付けられ、該コネクタハウジングから引き出された前記電線を案内しつつ外部に導出させるカバーとを備え、このカバーの前記電線を外部に導出させる電線導出口に該電線を結束バンドで締め付けて固定する電線固定部を設け、この電線固定部に前記結束バンドを挿通させるバンド挿通孔を形成したカバー付コネクタにおいて、
前記コネクタハウジングに、前記カバーのカバー本体に形成されたロック部が着脱自在に係止される被ロック部を形成する一方、前記カバー本体を前記コネクタハウジング側及び前記電線導出口側が開口した箱形に形成し、このカバー本体の両側部の一方の側部にヒンジ部を介して開き止めロック板を一体形成し、この開き止めロック板の両側に前記カバー本体の両側部に形成された一対の係合部に係止される一対の係止部を形成し、前記開き止めロック板の一対の係止部を前記カバー本体の一対の係合部に係止した際に該一対の係止部の少なくとも一方の係止部で前記コネクタハウジングの被ロック部を前記カバー本体のロック部に押圧付勢するように構成したことを特徴とするカバー付コネクタ。
【請求項２】
請求項１記載のカバー付コネクタであって、
前記コネクタハウジングの被ロック部に、前記開き止めロック板の一対の係止部の少なくとも一方の係止部が当接するテーパ面を形成したことを特徴とするカバー付コネクタ。
【請求項３】
請求項１記載のカバー付コネクタであって、
前記カバー本体の側部に複数のガタ詰めリブを形成したことを特徴とするカバー付コネクタ。
【発明の詳細な説明】
【技術分野】
【０００１】
本発明は、コネクタハウジングから引き出された電線を覆って保護するカバーを備えたカバー付コネクタに関する。
【背景技術】
【０００２】
この種のカバー付コネクタとして、図１７に示すものがある（例えば、特許文献１参照。）。
【０００３】
このカバー付コネクタ１は、図１７に示すように、電線３の一端部３ａに接続された端子４を収容するコネクタハウジング２と、このコネクタハウジング２に取り付けられると共に、該コネクタハウジング２から引き出された電線３を案内しつつ外部に導出させるカバー５と、このカバー５を幅方向に跨ぐように組み付けられるレバー７とから構成されている。
【０００４】
このカバー５の電線３を外部に導出させる電線導出口５ａには、該電線３を結束バンド８で締め付けて固定する断面略門形状の電線固定部６を突設してある。この電線固定部６の両側の角部には結束バンド８を挿通させる一対のバンド挿通孔６ａ，６ａを形成してある。そして、電線固定部６に結束バンド８を巻き回して、電線固定部６に電線３を結束バンド８で締め付けて固定するようになっている。
【特許文献１】特開２００２−３４３４９７号公報
【特許文献２】特開平８−５０９５２号公報
【発明の開示】
【発明が解決しようとする課題】
【０００５】
しかしながら、前記従来のカバー付コネクタ１では、コネクタハウジング２とカバー５のロック間にクリアランスが生じて、カバー５が傾いたり、開き易くなり、カバー５がコネクタハウジング２から脱落し易かった。また、カバー５の断面略門形状の電線固定部６の内面に複数の電線３を単に当接しているだけの構造であるため、電線固定部６と電線３の密着力（保持力）が弱く、電線固定部６から電線３が抜け易かった。
【０００６】
そこで、本発明は、前記した課題を解決すべくなされたものであり、コネクタハウジングとカバーのロック間のクリアランスを無くすことができ、カバーの電線固定部と電線間の密着度を高めて電線固定部からの電線抜けを確実に防止することができるカバー付コネクタを提供することを目的とする。
【課題を解決するための手段】
【０００７】
請求項１の発明は、電線の端部に接続された端子を収容するコネクタハウジングと、このコネクタハウジングに取り付けられ、該コネクタハウジングから引き出された前記電線を案内しつつ外部に導出させるカバーとを備え、このカバーの前記電線を外部に導出させる電線導出口に該電線を結束バンドで締め付けて固定する電線固定部を設け、この電線固定部に前記結束バンドを挿通させるバンド挿通孔を形成したカバー付コネクタにおいて、前記コネクタハウジングに、前記カバーのカバー本体に形成されたロック部が着脱自在に係止される被ロック部を形成する一方、前記カバー本体を前記コネクタハウジング側及び前記電線導出口側が開口した箱形に形成し、このカバー本体の両側部の一方の側部にヒンジ部を介して開き止めロック板を一体形成し、この開き止めロック板の両側に前記カバー本体の両側部に形成された一対の係合部に係止される一対の係止部を形成し、前記開き止めロック板の一対の係止部を前記カバー本体の一対の係合部に係止した際に該一対の係止部の少なくとも一方の係止部で前記コネクタハウジングの被ロック部を前記カバー本体のロック部に押圧付勢するように構成したことを特徴とする。
【０００８】
請求項２の発明は、請求項１記載のカバー付コネクタであって、前記コネクタハウジングの被ロック部に、前記開き止めロック板の一対の係止部の少なくとも一方の係止部が当接するテーパ面を形成したことを特徴とする。
【０００９】
請求項３の発明は、請求項１記載のカバー付コネクタであって、前記カバー本体の側部に複数のガタ詰めリブを形成したことを特徴とする。
【発明の効果】
【００１０】
以上説明したように、請求項１の発明によれば、開き止めロック板の一対の係止部をカバー本体の一対の係合部に係止した際に該一対の係止部の少なくとも一方の係止部でコネクタハウジングの被ロック部をカバー本体のロック部に押圧付勢するように構成したことにより、コネクタハウジングの被ロック部とカバー本体のロック部間のクリアランスを無くして両者のガタ付きを確実に防止することができる。これにより、カバー本体の両側部の開きを完全に防止することができると共に、カバーの電線固定部と電線間の密着度を高めることができ、電線固定部からの電線抜けを確実に防止することができる。
【００１１】
請求項２の発明によれば、コネクタハウジングの被ロック部に、開き止めロック板の一対の係止部の少なくとも一方の係止部が当接するテーパ面を形成したことにより、このテーパ面を介して、開き止めロック板の一対の係止部の少なくとも一方の係止部でコネクタハウジングの被ロック部をカバー本体のロック部に簡単かつ確実に押圧付勢することができる。
【００１２】
請求項３の発明によれば、前記カバー本体の側部に複数のガタ詰めリブを形成したことにより、コネクタハウジングとカバー本体の側部間のガタ付きを確実に防止することができる。これにより、カバー本体の両側部の開きを完全に防止することができると共に、カバーの電線固定部と電線間の密着度を高めることができ、電線固定部からの電線抜けを確実に防止することができる。
【発明を実施するための最良の形態】
【００１３】
以下、本発明の実施形態を図面に基づいて説明する。
【００１４】
図１は本発明の第１実施形態のカバー付コネクタをカバー側から見た斜視図、図２は同カバー付コネクタからカバーを取り外した状態の斜視図、図３はカバーの斜視図、図４は同カバーの正面図、図５は同カバー付コネクタにカバーを取り付けた状態を示す斜視図、図６は同カバーの開き止めロック板を装着する前の状態を示す部分斜視図、図７は同開き止めロック板を装着した状態を示す部分斜視図、図８（ａ）は上記カバーの開き止めロック板を装着する前の状態を示す要部の拡大説明図、図８（ｂ）は同開き止めロック板を装着した状態を示す要部の拡大説明図、図９は同カバーの電線固定部に結束バンドで電線を固定した状態を示す部分断面図、図１０は同カバーの電線固定部に結束バンドで電線を固定した状態を裏側から見た部分斜視図、図１１は同開き止めロック板の拡大説明図、図１２は同結束バンドの斜視図、図１３（ａ）は同カバーの電線固定部の一方の側の一対のバンド貫通孔に結束バンドを貫通させて電線を固定する作業説明図、図１３（ｂ）は同電線固定部の他方の側の一対のバンド貫通孔に結束バンドを貫通させて電線を固定する作業説明図である。
【００１５】
図１及び図５に示すように、カバー付コネクタ１０は、電線１３の一端部１３ａに接続された図示しない端子を収容する合成樹脂製のコネクタハウジング１１と、このコネクタハウジング１１に軸部２３を介して回動自在に支持され、該コネクタハウジング１１に図示しない相手側コネクタを低挿入力で嵌合させる合成樹脂製のレバー２０と、コネクタハウジング１１に着脱自在に取り付けられると共に、該コネクタハウジング１１から引き出された電線１３を案内しつつ外部に導出させる合成樹脂製のカバー３０とを構成されている。
【００１６】
図１及び図２に示すように、コネクタハウジング１１は、複数の端子を収納する端子収容部１１ａを有した箱形に形成してある。図１，図２及び図８（ａ），（ｂ）に示すように、この端子収容部１１ａの両側の上下の位置には、後述するカバー３０の鉤形の係止爪（ロック部）３１ｂが着脱自在に係止されるアーム状の係止爪（被ロック部）１１ｂをそれぞれ形成してある。
【００１７】
尚、端子収容部１１ａ内に収容される各端子に接続された電線１３の一端部１３ａにはシール用の防水栓１４を嵌め込んである。また、図９に示すように、コネクタハウジング１１から引き出された複数の電線１３は、後述するカバー３０の電線固定部３５に結束バンド４０で直に固定されるようになっているが、図１４に示すように、図示しないテープ等により束ねられてゴム製等のコルゲートチューブ１５に挿通された状態でカバー３０の電線固定部３５に結束バンド４０で固定される場合もある。このコルゲートチューブ１５は溝部１５ａと突状部１５ｂを交互に連続して形成してあり、伸縮性を有している。
【００１８】
図１，図２，図５に示すように、レバー２０は操作部２１と両側部２２，２２とでコ字状に形成してある。そして、レバー２０は両側部２２．２２に形成された各軸部２３を介してコネクタハウジング１１の両側面１１ｃ，１１ｃに回動自在に支持してある。また、レバー２０の両側部２２，２２にはカム溝２４をそれぞれ形成してある。そして、このレバー２０の各カム溝２４に相手側コネクタの両側面から突出した各カムピンが係合されて摺動することにより、そのカム作用でコネクタハウジング１１と相手側コネクタとが低挿入力で嵌合させるようになっている。
【００１９】
図１，図３〜図５に示すように、カバー３０は下面（コネクタハウジング１１）側と外部に電線１３を導出させる電線導出口３４側とが開口した細長いドーム状（箱形）のカバー本体３１を有している。この細長いドーム状のカバー本体３１の両側部３１ａ，３１ａの両端縁には、コネクタハウジング１１の各係止爪１１ｂに着脱自在に取り付けられる鉤形（Ｌ字状）の係止爪（ロック部）３１ｂを形成してある。
【００２０】
また、図３，図３に示すように、カバー本体３１の両側部３１ａ，３１ａの中央には、一対のガタ詰めリブ３１ｅ，３１ｅを一体突出形成してある。さらに、カバー本体３１の両側部３１ａ，３１ａの両端縁には、各一対のガタ詰めリブ３１ｆ，３１ｆをそれぞれ一体突出形成してある。
【００２１】
図１，図３〜図５に示すように、カバー本体３１の一方の側部３１ａにはヒンジ部３２を介して開き止めロック板３３を一体突出形成してある。この開き止めロック板３３は、板状のロック本体３３ａと該ロック本体３３ａの両側に一体突出形成されたＬ字鉤形のフック部（係止部）３３ｂ，３３ｂとでコ字状に形成してある。この一方のフック部３３ｂにヒンジ部３２を一体形成してある。そして、図７，図８（ｂ）に示すように、開き止めロック板３３の一対のフック部３３ｂ，３３ｂをカバー本体３１の一対の係合凹部３１ｃ，３１ｃに係止した際に、該一対のフック部３３ｂ，３３ｂの一方のフック部３３ｂでコネクタハウジング１１の係止爪１１ｂをカバー本体３１の係止爪３１ｂに押圧付勢するようになっている。さらに、図８（ａ），（ｂ）に示すように、コネクタハウジング１１の係止爪１１ｂには、開き止めロック板３３の一対のフック部３３ｂ，３３ｂの一方のフック部３３ｂが当接するテーパ面１１ｄを形成してある。
【００２２】
また、図１２に示すように、開き止めロック板３３の一対のフック部３３ｂ，３３ｂの内側には、圧入用のリブ３３ｃをそれぞれ一体突出形成してある。そして、図６，図７に示すように、ヒンジ部３２を介して開き止めロック板３３をカバー本体３１の両側部３１ａ，３１ａを跨ぐように折り曲げて、その一対のフック部３３ｂ，３３ｂをカバー本体３１の両側部３１ａ，３１ａに形成した係合凹部（係合部）３１ｃ，３１ｃに係止させることにより、カバー本体３１の両側部３１ａ，３１ａの開きを防止するようになっている。この際、各フック部３３ｂのリブ３３ｃにより、ガタ付きを無くしてカバー本体３１の両側部３１ａ，３１ａの開きを完全に防止できるようになっている。
【００２３】
さらに、図１，図３〜図５に示すように、カバー本体３１の複数の電線１３を外部に導出させる電線導出口３４には、該複数の電線１３を結束バンド４０で締め付けて固定する電線固定部３５を一体突出形成してある。この電線固定部３５は断面逆Ｕ字状に形成してある。この断面逆Ｕ字状の電線固定部３５の外面３５ａの両側には、一対の突起３６，３６を電線１３の導出方向に対して直交する方向に平行に一体突出形成してある。この断面逆Ｕ字状の電線固定部３５の一対の突起３６，３６間には、結束バンド４０をたすき掛け状に巻き回せるように各バンド挿通孔３７，３７′を電線１３の導出方向に対して斜めにかつ平行になるように各一対それぞれ形成してある。そして、この斜めで平行の各一対のバンド挿通孔３７，３７及び３７′，３７′のうちのいずれか片側の一対のバンド挿通孔３７，３７或いは３７′，３７′に結束バンド４０を挿通させることで、該結束バンド４０を電線１３の導出方向に対して斜めの方向に巻き回して、断面逆Ｕ字状の電線固定部３５の内面３５ｂ側に複数の電線１３を結束バンド４０で締め付けて固定するように構成してある。
【００２４】
さらに、図３，図４に示すように、断面逆Ｕ字状の電線固定部３５の内面３５ｂには、複数の電線保持用の突出部３８，３８，３８を円弧状に一体突出形成してある。この各電線保持用の突出部３８の先端部は凹凸形状に形成してある（この凹凸形状の凹部分を符号３８ａで、凸部分を符号３８ｂでそれぞれ示す）。
【００２５】
図１，図９，図１０，図１２に示すように、結束バンド４０は、内面に複数の鉤部４１ａを有したバンド本体４１と、このバンド本体４１を挿通させて任意の位置の鉤部４１ａを着脱自在に係止する四角枠状のロック部４２とを備えている。
【００２６】
以上実施形態のカバー付コネクタ１０によれば、図１，図２に示すように、コネクタハウジング１１にカバー３０を装着する際に、コネクタハウジング１１の被ロック部としての各係止爪１１ｂにカバー３０のカバー本体３１のロック部としての各係止爪３１ｂを係止する。次に、図６，図７に示すように、カバー本体３１の一方の側部３１ａにヒンジ部３２を介して一体形成された開き止めロック板３３の一対のフック部３３ｂ，３３ｂをカバー本体３１の両側部３１ａ，３１ａの一対の係合凹部３１ｃ，３１ｃに係止する。この際、図８（ｂ）に示すように、開き止めロック板３３の一対のフック部３３ｂ，３３ｂの一方のフック部３３ｂでコネクタハウジング１１の係止爪１１ｂをカバー３０のカバー本体３１の係止爪３１ｂに押圧付勢する。これにより、コネクタハウジング１１の係止爪１１ｂとカバー本体３１の係止爪３１ｂ間のクリアランスを無くすことができ、図８（ａ）に示すＺ方向のガタ付きを確実に防止することができる。また、コネクタハウジング１１の係止爪１１ｂに形成したテーパ面１１ｄを介して、開き止めロック板３３の一対のフック部３３ｂ，３３ｂの一方のフック部３３ｂでコネクタハウジング１１の係止爪１１ｂをカバー本体３１の係止爪３１ｂに簡単かつ確実に押圧付勢することができる。これらにより、カバー本体３１の両側部３１ａ，３１ａの開きを確実に防止することができ、また、各フック部３３ｂのリブ３３ｃによりガタ付きを無くことができる。その結果、カバー本体３１の両側部３１ａ，３１ａの開きを完全に防止することができる。
【００２７】
さらに、カバー３０のカバー本体３１の両側部３１ａ，３１ａの中央に一体突出形成した一対のガタ詰めリブ３１ｅ，３１ｅにより、コネクタハウジング１１とカバー本体３１の両側部３１ａ，３１ａ間のガタ付きを確実に防止して両者を固定することができる。また、カバー３０のカバー本体３１の両側部３１ａ，３１ａの両端縁に一体突出形成した各一対のガタ詰めリブ３１ｆ，３１ｆにより、カバー本体３１の両側部３１ａ，３１ａの開き（全方向への傾き）を抑制してコネクタハウジング１１とカバー本体３１の両側部３１ａ，３１ａ間のガタ付きを確実に防止することができる。これらにより、電線１３に負荷が加わってもコネクタハウジング１１からカバー３０が外れにくくなり、カバー３０の脱落を確実に防止することができる。即ち、カバー３０のカバー本体３１の両側部３１ａ，３１ａの開きを完全に防止することができると共に、カバー３０の電線固定部３５と電線１３間の密着度を高めることができ、電線固定部３５からの電線抜けを確実に防止することができる。
【００２８】
次に、図１，図９，図１０に示すように、カバー３０の断面逆Ｕ字状の電線固定部３５内に結束バンド４０を介して複数の電線１３を固定する。この際、図１３（ａ），（ｂ）に示すように、電線固定部３５に電線１３の導出方向に対して斜めにかつ平行になるように各一対それぞれ形成された各一対のバンド挿通孔３７，３７及び３７′，３７′のうちのいずれか片側の一対のバンド挿通孔３７，３７或いは３７′，３７′にバンドガン４５を介して結束バンド４０を挿通させ、結束バンド４０を電線１３の導出方向に対して斜めの方向に巻き回し、断面逆Ｕ字状の電線固定部３５の内面３５ｂ側に複数の電線１３を結束バンド４０で締め付けて固定する。
【００２９】
図１３（ａ），（ｂ）に示すように、バンドガン４５により結束バンド４０で複数の電線１３を締め付ける際に、バンドガン４５がカバー付コネクタ１０に干渉することがないようにするために、カバー付コネクタ１０に対して左右いずれの位置からもバンドガン４５を用いることができるようにしてある。即ち、カバー３０の電線固定部３５には、結束バンド４０を挿通させる各一対のバンド挿通孔３７，３７及び３７′，３７′を形成してある。これにより、断面逆Ｕ字状の電線固定部３５の外面３５ａに結束バンド４０を電線１３の導出方向に対して斜めの方向に簡単に巻き回せることができると共に、断面逆Ｕ字状の電線固定部３５の内面３５ｂと電線１３間の密着度を高めることができ、電線固定部３５の内面３５ｂからの電線抜けを確実に防止することができる。
【００３０】
このように、カバー３０の電線固定部３５に斜め掛けの結束バンド４０で複数の電線１３を固定する際に、電線固定部３５の内面３５ｂに一体突出形成した一対の電線保持用の突出部３８，３８の凹部３８ａと凸部３８ｂに複数の電線１３の被覆絶縁部を複数の点接触にて食い込ませて電線固定部３５の各突出部３８の凹，凸部３８ａ，３８ｂと複数の電線１３間の密着度（接触面積）を高めることができ、電線固定部３５の内面３５ｂからの電線抜けをより確実に防止することができる。
【００３１】
また、複数の電線１３が外部に導出する方向に電線１３の引っ張り力が作用しても、電線固定部３５の各電線保持用の突出部３８の凹，凸部３８ａ，３８ｂと複数の電線１３の被覆絶縁部との点接触領域において、押さえ力が集中して作用するため、電線固定部３５の内面３５ｂからの電線抜けを確実に防止することができる。
【００３２】
尚、前記第１実施形態によれば、カバー３０の電線固定部３５に結束バンド４０で複数の電線１３を直に固定する場合について説明したが、図１４に示すように、複数の電線１３をコルゲートチューブ１５に挿通させた状態で結束バンド４０を介して固定しても良い。このカバー３０の電線固定部３５に斜め掛けの結束バンド４０で複数の電線１３を挿通させたコルゲートチューブ１５を固定する際に、電線固定部３５の内面３５ｂに一体突出形成した一対の電線保持用の突出部３８，３８の凹部３８ａと凸部３８ｂに複数の電線１３を挿通させたコルゲートチューブ１５の各溝部１５ａを複数の点接触にて食い込ませて電線固定部３５の各突出部３８の凹，凸部３８ａ，３８ｂと複数の電線１３を挿通させたコルゲートチューブ１５の各溝部１５ａ間の密着度（接触面積）を高めることができ、電線固定部３５の内面３５ｂからの電線抜けをより確実に防止することができる。
【００３３】
図１５は本発明の第２実施形態のカバーの斜視図、図１６は同カバーの正面図である。
【００３４】
この第２実施形態のカバー３０′は、カバー本体３１に対して複数の電線１３を結束バンド４０で締め付けて固定する電線固定部３５を斜め（図では下方）に一体形成して、カバー本体３１の電線導出口３４から外部に導出する複数の電線１３の経路を第１実施形態のカバー３０のものと異ならせている。他の構成は、前記実施形態と同様の構成であるので、同一構成部分に同一符号を付して省略な説明を省略する。
【００３５】
そして、この第２実施形態のカバー３０′でも、前記第１実施形態のカバー３０と同様に、開き止めロック板３３の一対のフック部３３ｂ，３３ｂをカバー本体３１の一対の係合凹部３１ｃ，３１ｃに係止した際に、該一対のフック部３３ｂ，３３ｂの一方のフック部３３ｂでコネクタハウジング１１の係止爪１１ｂをカバー本体３１の係止爪３１ｂに押圧付勢することができる。これにより、コネクタハウジング１１の係止爪１１ｂとカバー本体３１の係止爪３１ｂ間のクリアランスを無くして両者のガタ付きを確実に防止することができる。その結果、カバー本体３１の両側部３１ａ，３１ａの開きを完全に防止することができると共に、カバー３０′の電線固定部３５と電線１３間の密着度を高めることができ、電線固定部３５からの電線抜けを確実に防止することができる。
【図面の簡単な説明】
【００３６】
【図１】本発明の第１実施形態のカバー付コネクタをカバー側から見た斜視図である。
【図２】上記カバー付コネクタからカバーを取り外した状態の斜視図である。
【図３】上記カバーの斜視図である。
【図４】上記カバーの正面図である。
【図５】上記カバー付コネクタにカバーを取り付けた状態を示す斜視図である。
【図６】上記カバーの開き止めロック板を装着する前の状態を示す部分斜視図である。
【図７】上記開き止めロック板を装着した状態を示す部分斜視図である。
【図８】（ａ）は上記カバーの開き止めロック板を装着する前の状態を示す要部の拡大説明図、（ｂ）は同開き止めロック板を装着した状態を示す要部の拡大説明図である。
【図９】上記カバーの電線固定部に結束バンドで電線を固定した状態を示す部分断面図である。
【図１０】上記カバーの電線固定部に結束バンドで電線を固定した状態を裏側から見た部分斜視図である。
【図１１】上記開き止めロック板の拡大説明図である。
【図１２】上記結束バンドの斜視図である。
【図１３】（ａ）は上記カバーの電線固定部の一方の側の一対のバンド貫通孔に結束バンドを貫通させて電線を固定する作業説明図、（ｂ）は同電線固定部の他方の側の一対のバンド貫通孔に結束バンドを貫通させて電線を固定する作業説明図である。
【図１４】上記カバーの電線固定部に結束バンドで電線を挿通させたコルゲートチューブを固定した状態を示す部分断面図である。
【図１５】本発明の第２実施形態のカバーの斜視図である。
【図１６】上記第２実施形態のカバーの正面図である。
【図１７】従来のカバー付コネクタの側面図である。
【符号の説明】
【００３７】
１０  カバー付コネクタ
１１  コネクタハウジング
１１ｂ  係止爪（被ロック部）
１１ｄ  テーパ面
１３  電線
１３ａ  一端部（端部）
３０  カバー
３１  カバー本体
３１ａ，３１ａ  両側部
３１ｂ  係止爪（ロック部）
３１ｃ，３１ｃ  一対の係合凹部（係合部）
３１ｅ，３１ｆ  ガタ詰めリブ
３２  ヒンジ部
３３  開き止めロック板
３３ｂ，３３ｂ  一対のフック部（係止部）
３４  電線導出口
３５  電線固定部
３７，３７  一対のバンド挿通孔
３７′，３７′  一対のバンド挿通孔
４０  結束バンド
【図１】
2010055863.tif 000003
【図２】
2010055863.tif 000004
【図３】
2010055863.tif 000005
【図４】
2010055863.tif 000006
【図５】
2010055863.tif 000007
【図６】
2010055863.tif 000008
【図７】
2010055863.tif 000009
【図８】
2010055863.tif 000010
【図９】
2010055863.tif 000011
【図１０】
2010055863.tif 000012
【図１１】
2010055863.tif 000013
【図１２】
2010055863.tif 000014
【図１３】
2010055863.tif 000015
【図１４】
2010055863.tif 000016
【図１５】
2010055863.tif 000017
【図１６】
2010055863.tif 000018
【図１７】
2010055863.tif 000019